【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
音響信号処理用の複数のパラメータの各値を指定するパラメータセットが複数組あり、かつ、前記複数のパラメータのうち、少なくとも一部の複数のパラメータが１つのリンクグループを構成しており、前記パラメータセット毎にパラメータセット表示領域を有する編集画面を用いて、前記パラメータの値を編集する音響信号処理用パラメータの編集装置であって、
複数組の前記パラメータセットを格納する記憶手段と、
第１の前記パラメータセットに属し、かつ、前記リンクグループを構成している第１のパラメータの設定値表示領域が選択操作され、かつ、リンク複写が選択操作されたことを検出するリンク複写操作検出手段と、
データを一時記憶するバッファ手段と、
前記リンク複写操作検出手段により前記リンク複写の選択操作が検出されたとき、検出された前記第１のパラメータの値と、前記第１のパラメータセットに属し、かつ、前記リンクグループを構成している他のパラメータの値とを前記バッファに一時記憶するリンク複写手段と、
前記第１のパラメータセットとは異なる第２のパラメータセットに属し、かつ、前記リンク複写操作検出ステップにより検出された第１のパラメータと同じパラメータの設定値表示領域が選択操作され、かつ、リンク貼り付けが選択操作されたことを検出するリンク貼り付け操作検出手段と、
該リンク貼り付け操作検出手段により前記リンク貼り付けの選択操作が検出されたとき、前記バッファに一時記憶された、前記第１のパラメータの値と前記他のパラメータの値とを、それぞれ、前記第２のパラメータセットの対応するパラメータの値として貼り付けるリンク貼り付け手段、
を有することを特徴とする音響信号処理用パラメータの編集装置。
【請求項２】
前記リンクグループは、該リンクグループの構成を示すリンクグループ構成情報を前記記憶手段に記憶しているものであり、該リンクグループ構成情報をユーザが書き換え可能とした、
ことを特徴とする請求項１に記載の音響信号処理用パラメータの編集装置。
【請求項３】
音響信号処理用の複数のパラメータの各値を指定するパラメータセットが複数組あり、複数組の前記パラメータセットが記憶装置に格納され、かつ、前記複数のパラメータのうち、少なくとも一部の複数のパラメータが１つのリンクグループを構成しており、前記パラメータセット毎にパラメータセット表示領域を有する編集画面を用いて、前記パラメータの値を編集するステップをコンピュータに実行させるための音響信号処理用パラメータの編集プログラムであって、
第１の前記パラメータセットに属し、かつ、前記リンクグループを構成している第１のパラメータの設定値表示領域が選択操作され、かつ、リンク複写が選択操作されたことを検出するリンク複写操作検出ステップと、
該リンク複写操作検出ステップにより前記リンク複写の選択操作が検出されたとき、検出された前記第１のパラメータの値と、前記第１のパラメータセットに属し、かつ、前記リンクグループを構成している他のパラメータの値とをバッファに一時記憶するリンク複写ステップと、
前記第１のパラメータセットとは異なる第２のパラメータセットに属し、かつ、前記リンク複写操作検出ステップにより検出された第１のパラメータと同じパラメータの設定値表示領域が選択操作され、かつ、リンク貼り付けが選択操作されたことを検出するリンク貼り付け操作検出ステップと、
該リンク貼り付け操作検出ステップにより前記リンク貼り付けの選択操作が検出されたとき、前記バッファに一時記憶された、前記第１のパラメータの値と前記他のパラメータの値とを、それぞれ、前記第２のパラメータセットの対応するパラメータの値として貼り付けるリンク貼り付けステップ、
をコンピュータに実行させるための音響信号処理用パラメータの編集プログラム。
【手続補正２】
【補正対象書類名】明細書
【補正対象項目名】発明の名称
【補正方法】変更
【補正の内容】
【発明の名称】音響信号処理用パラメータの編集装置及びプログラム
【手続補正３】
【補正対象書類名】明細書
【補正対象項目名】０００１
【補正方法】変更
【補正の内容】
【０００１】
本発明は、音響信号のサンプリング波形編集装置、電子音楽装置の音色パラメータ編集装置、電子音楽装置やカラオケ装置のエフェクトパラメータ編集装置などに用いる、音響信号処理用パラメータの編集装置及び音響信号処理用パラメータの編集プログラムに関するものである。
【手続補正４】
【補正対象書類名】明細書
【補正対象項目名】０００４
【補正方法】変更
【補正の内容】
【０００４】
本発明は、上述した問題点を解決するためになされたもので、音響信号処理用のパラメータセットのうち、リンクグループを構成するパラメータの値については、他のパラメータセットに簡単な操作で一括してリンク複写＆貼り付けができるようにした音響信号処理用パラメータの編集装置及び音響信号処理用パラメータの編集プログラムを提供することを目的とするものである。
【手続補正５】
【補正対象書類名】明細書
【補正対象項目名】０００５
【補正方法】変更
【補正の内容】
【０００５】
本発明は、請求項１に記載の発明においては、音響信号処理用の複数のパラメータの各値を指定するパラメータセットが複数組あり、かつ、前記複数のパラメータのうち、少なくとも一部の複数のパラメータが１つのリンクグループを構成しており、前記パラメータセット毎にパラメータセット表示領域を有する編集画面を用いて、前記パラメータの値を編集する音響信号処理用パラメータの編集装置であって、複数組の前記パラメータセットを格納する記憶手段と、第１の前記パラメータセットに属し、かつ、前記リンクグループを構成している第１のパラメータの設定値表示領域が選択操作され、かつ、リンク複写が選択操作されたことを検出するリンク複写操作検出手段と、データを一時記憶するバッファ手段と、前記リンク複写操作検出手段により前記リンク複写の選択操作が検出されたとき、検出された前記第１のパラメータの値と、前記第１のパラメータセットに属し、かつ、前記リンクグループを構成している他のパラメータの値とを前記バッファに一時記憶するリンク複写手段と、前記第１のパラメータセットとは異なる第２のパラメータセットに属し、かつ、前記リンク複写操作検出ステップにより検出された第１のパラメータと同じパラメータの設定値表示領域が選択操作され、かつ、リンク貼り付けが選択操作されたことを検出するリンク貼り付け操作検出手段と、該リンク貼り付け操作検出手段により前記リンク貼り付けの選択操作が検出されたとき、前記バッファに一時記憶された、前記第１のパラメータの値と前記他のパラメータの値とを、それぞれ、前記第２のパラメータセットの対応するパラメータの値として貼り付けるリンク貼り付け手段、を有するものである。
従って、リンクグループを構成しているパラメータについては、そのうち、１つのパラメータの値を複写＆貼り付け操作するだけで、このリンクグループを構成している他のパラメータの値を含め、一括して複写＆貼り付けができる。
【手続補正６】
【補正対象書類名】明細書
【補正対象項目名】０００７
【補正方法】変更
【補正の内容】
【０００７】
前記リンクグループは、例えば、前記パラメータセット表示領域に表示されている全てのパラメータによって構成される。表示されているパラメータの値を、複数のパラメータセット表示領域の間で、一括して複写＆貼り付けできる。
あるいは、リンクグループ構成情報を別途、記憶装置に格納してもよい。この場合、リンクグループ構成情報を書換え可能にし、ユーザによる書換え操作を検出するステップを加える。
すなわち、請求項２に記載の発明においては、請求項１に記載の音響信号処理用パラメータの編集装置において、前記リンクグループは、該リンクグループの構成を示すリンクグループ構成情報を前記記憶手段に記憶しているものであり、該リンクグループ構成情報をユーザが書き換え可能としたものである。
【手続補正７】
【補正対象書類名】明細書
【補正対象項目名】０００８
【補正方法】変更
【補正の内容】
【０００８】
前記リンク複写ステップは、前記リンク複写操作検出ステップによりリンク複写操作が検出されても、リンク複写不可能化設定によりリンク複写を不可能にされ、前記リンク貼り付けは、前記リンク貼り付け操作検出ステップによりリンク貼り付け操作が検出されても、リンク貼り付け不可能化設定によりリンク貼り付けを不可能にされるようにしてもよい。
リンクグループに属していてもリンク複写操作あるいはリンク貼り付け操作を不可能にできるので、編集の自由度が高くなる。
また、請求項３に記載の発明は、上述した請求項１に記載の音響信号処理用パラメータの編集装置の機能をコンピュータに実現させるための、音響信号処理用パラメータの編集プログラムである。
従って、請求項１に記載の発明と同様の作用を奏する。
【手続補正８】
【補正対象書類名】明細書
【補正対象項目名】００１５
【補正方法】変更
【補正の内容】
【００１５】
図１（ａ）に示すデータボックス５，６のいずれか一方を選択操作する。かつ、リンク複写操作、例えばASCIIキーボードで、「Ctrl」キー＋「Shift」キー＋「C」キーを押すショートカットキー操作をする。その結果、リンクグループを構成しているLOOPSTART1，LOOPEND1の値が、ともに、クリップボードバッファに一時記憶される。
次に、第２のパラメータセット表示画面３に示された、データボックス１０、または、データボックス１１のうち、先にリンク複写操作時に選択されたデータボックス５と同じパラメータのデータボックス１０を、「Tab」キーあるいはマウスにより選択操作する。かつ、リンク貼り付け操作、例えばASCIIキーボードで、「Ctrl」キー＋「Shift」キー＋「V」キーを押すショートカットキー操作をする。